(57)【要約】【課題】無線通信システムでのグループ分けは、各移動局から手動で基地局に登録する方法が取られており、異なるグループに所属している移動局を通話中のグループに編成しようとする場合、元のグループ毎にグループ変更の指示を行わなければならない。【解決手段】基地局とグループ分けされた複数の移動局からなる無線通信システムにおいて、上記基地局の第１の制御装置は、上記グループ分けされた複数の移動局と通信できるグループコードを記憶したグループコードテーブルを具え、上記グループコードテーブルには、上記グループ分けされた複数の移動局と通信できる共通グループコードと上記グループ分けされたグループと個別に通信できるグループコードを有し、上記複数の移動局の少なくとも１つの移動局のグループを変更する場合、上記共通グループコードと上記グループの変更情報を上記グループ分けされた複数の移動局に送信するように構成される。【選択図】図１
2008160889.tif 000002
【特許請求の範囲】
【請求項１】
基地局とグループ分けされた複数の移動局からなる無線通信システムにおいて、上記基地局は、無線装置と上記無線装置を制御する第１の制御装置を有し、上記グループ分けされた複数の移動局のそれぞれは、送信部と、受信部および上記送信部および上記受信部を制御する第２の制御部を有し、上記基地局の第１の制御装置は、第１の記憶部を有し、上記第１の記憶部には、上記グループ分けされた複数の移動局と通信できるグループコードを記憶したグループコードテーブルを具え、上記グループコードテーブルには、上記グループ分けされた複数の移動局と通信できる共通グループコードと上記グループ分けされたグループと個別に通信できるグループコードを有し、上記複数の移動局の少なくとも１つの移動局のグループを変更する場合、上記第１の制御装置は、上記共通グループコードと上記グループの変更情報を上記グループ分けされた複数の移動局に送信することを特徴とする無線通信システム。
【請求項２】
請求項１記載の無線通信システムにおいて、上記グループ分けされた複数の移動局の第２の制御部は、第２の記憶部を有し、上記第２の記憶部に自分のＩＤと自分が所属するグループコードを記憶したテーブルを具え、上記グループ分けされた複数の移動局は、上記共通グループコードと上記グループの変更情報を受信すると共に、上記第２の制御部は、上記共通グループコードと上記グループの変更情報を解読し、上記第２の記憶部に記憶されたグループコードの自分のＩＤと自分が所属するグループコードを比較して所定のグループコードに変更することを特徴とする無線通信システム。
【請求項３】
請求項２記載の無線通信システムにおいて、上記第２の記憶部に記憶されたグループコードの自分のＩＤと自分が所属するグループコードを比較して所定のグループコードに変更した移動局は、上記変更後のグループコードを上記基地局に送信することを特徴とする無線通信システム。
【請求項４】
請求項１記載の無線通信システムにおいて、上記無線通信システムは、同期バーストと通信用チャネルで構成されるＳＣＰＣ方式のデジタル無線システムであり、上記共通グループコードは、上記同期バーストと上記通信用チャネルの所定の機能チャネルで送信し、上記グループの変更情報は、上記通信用チャネルの所定の機能チャネルとは異なる機能チャネルで送信することを特徴とする無線通信システム。
【請求項５】
基地局とグループ分けされた複数の移動局からなる無線通信システムにおいて、上記基地局は、上記グループ分けされた複数の移動局に対して上記グループ分けされた複数の移動局と通信できる共通グループコードとグループを変更する移動局の番号および移動後のグループを示すグループコードを送信するステップと、上記グループ分けされた複数の移動局のそれぞれの移動局は、上記共通グループコードを受信するステップと、上記共通グループコードを受信した移動局は、上記グループを変更する移動局の番号を判定するステップと、判定結果に基づき移動局の番号が一致した場合、上記移動後のグループを示すグループコードに基づいて自己のグループコードを変更するステップからなることを特徴とする無線通信システムのグループ変更方法。
【発明の詳細な説明】
【技術分野】
【０００１】
本発明は、無線通信システムおよび無線通信システムのグループ変更方法に関し、特に、ＳＣＰＣ（Single Channel Per Carrier）方式のデジタル無線システムのグループ変更可能な無線通信システムおよび無線通信システムのグループ変更方法に関するものである。
【背景技術】
【０００２】
現在、実用化されているデジタル無線システムの一つとして、標準規格ARIB STD-T61（Association of Radio Industries and Businesses-T61）で定められているＳＣＰＣ方式デジタル無線システムがある。このＳＣＰＣ方式デジタル無線システムについて図８〜図１２を用いて説明する。図８は、ＳＣＰＣ方式デジタル無線システムの概略構成を示す図である。図８において、ＳＣＰＣ方式デジタル無線システムは、一つの無線キャリアが一つの通信チャネルに対応し、単信方式のプレストーク通信を基本とする比較的簡易なシステムである。このシステムは、基地局１０１と基地局１０１の通信エリア１０２（または通信ゾーンとも言う。）内にある複数の移動局１０３−１、１０３−２、１０３−３、・・１０３−Ｎと基地局間あるいは基地局を経由した移動局間あるいは移動局間直接通信の通信接続サービス、あるいは、通信エリア１０２の外の移動局１０３−７と通信エリア１０２内の移動局１０３−６との通信接続サービスが行なわれるように構成されたシステムである。なお、移動局を代表する場合は、移動局１０３と称する。また、移動局１０３は、携帯無線機、可搬型無線機、固定無線機、半固定型無線機等を含むものとする。
【０００３】
基地局１０１は、基地局を管理する制御装置１０４、送信用無線機Ｔｘおよび受信用無線機Ｒｘからなる無線装置１０５および複数の指令卓１０６−１、１０６−２、・・・１０６−ｍで構成されている。なお、指令卓を代表する場合は、指令卓１０６と称する。
【０００４】
而して、標準規格ARIB STD-T61で定められているデジタル無線技術を用いたＳＣＰＣ方式デジタル無線システムで使用が許可されている無線キャリア（carrier）周波数割当てを図９に示す。図９において、上り方向、即ち、移動局→基地局の方向では、約３６７ＭＨｚ〜３６９ＭＨｚの無線キャリアｆで、６．２５ＫＨｚ巾で、無線キャリアｆ１、ｆ２、ｆ３・・・が認められている。また、下り方向、即ち、基地局→移動局の方向では、上り方向の３６７ＭＨｚから１８ＭＨｚ離れた約３８５ＭＨｚ〜３８７ＭＨｚの無線キャリアＦで、６．２５ＫＨｚ巾で、無線キャリアＦ１、Ｆ２、Ｆ３・・・が認められている。
従って、ＳＣＰＣ方式デジタル無線システムの通信においては、上り方向ｆ１、ｆ２、・・・、下り方向Ｆ１、Ｆ２、・・・の各周波数が使用される。
【０００５】
そして、例えば、基地局１０１と移動局１０３−４との間の通信チャネルおよび基地局１０１経由の移動局１０３−１と移動局１０３−２との間の通話チャネルは、周波数の異なる下り無線キャリアＦ１と上り無線キャリアｆ１のペア波が使用される。また、通信エリア１０２外の移動局１０３−７と移動局１０３−６との間の移動局間直接通信では、無線キャリアＷの内の１つの無線キャリアＷ１の１波が認められている。
【０００６】
さて、上記のような無線通信システムにおいて、通信エリア１０２内で移動局１０３が基地局１０１あるいは他の移動局１０３と通信を行うためには、まず、移動局１０３から基地局１０１への登録要求がなされ、この登録要求に対して基地局１０１から移動局１０３に対して登録許可を送信することで、使用可能な移動局１０３が基地局１０１で明確になる。その結果、登録された複数の移動局１０３と基地局１０１間あるいは基地局１０３を経由した移動局間の通信接続サービスが行なわれる。
【０００７】
このような移動局登録方式の無線通信システムでは、基地局１０１および登録される全移動局１０３が使用可能であるが、無線通信システムの管理上、各移動局１０３が所定のグループに従ってグループ分けされ、グループ単位で管理するようになされている。表１は、移動局グループテーブルを示す。
【０００８】
【表１】
2008160889.tif 000003
表１において、グループ名は、例えば、図８に示すグループＡ、Ｂ、・・・を示し、移動局番号は、そのグループに登録されている移動局１０３を示している。即ち、点線で囲まれたグループＡは、移動局１０３−１、１０３−２、・・・１０３−Ｎのグループで構成され、点線で囲まれたグループＢは、移動局１０３−４、１０３−５、１０３−６、・・・のグループで構成されている。
【０００９】
このＳＣＰＣ方式デジタル無線システムで用いられる無線チャネルは、図１０に示すように通信用チャネルＳＣ（Service Channel）１、ＳＣ２、・・・と同期バーストＳＢ０（Synchronous Burst 0）１、ＳＢ０２、ＳＢ０３から構成されている。なお、図１０において、同期バーストＳＢ０は、３個の繰り返しで示されているが、これに限定されるものではなく、１個、２個、４個、・・等で構成することもできる。また、図１１には、通信用チャネルＳＣおよび同期バーストＳＢ０のそれぞれの信号フォーマットを示している。図１１において、ＬＢ＋Ｒは、リニアライザ用プリアンブル及びバースト過渡応答用ガードタイム、Ｐａ及びＰｂは、プリアンブル、ＴＣＨは、トラヒックチャネル、ＲＩ（ＲＩＣＨともいう。）は、無線情報チャネル、ＳＷは、同期ワード、Ｇは、ガードタイムである。なお、数字は、シンボルを表している。また、各領域は、機能チャネルと呼ぶことにする。
【００１０】
通信用チャネルＳＣは、ユーザが通信のために使用する双方向チャネルであり、機能チャネルとしてトラヒックチャネル（ＴＣＨ：Traffic Channel）及び無線情報チャネル（ＲＩＣＨ：Radio Information Channel、図８では、ＲＩで示されている。）からなる。同期バーストＳＢ０は、割り当てられた無線チャネルにおける通信時にＴＣＨの前に取り交わされる同期のためのバーストデータであり、機能チャネルとしてパラメータ情報チャネル（ＰＩＣＨ：Parameter Information Channel、図８では、ＰＩで示されている。）及びＲＩＣＨから構成されている。
【００１１】
無線情報チャネルＲＩＣＨは、ＳＣ及びＳＢ０全ての無線チャネル上に配置され、無線チャネル構造、動作モード、通信モード等のチャネル情報を転送するために使われ、必要に応じてユーザ情報を転送するためにも使用される。トラヒックチャネルＴＣＨは、ユーザ情報を転送する双方向チャネルで、音声情報等が転送される。パラメータ情報チャネルＰＩＣＨは、同期バーストに付随してユーザ固有の情報等を転送する機能チャネルである。
【００１２】
図８の無線システムにおいて通信を行う場合には、通信を始める側がプレススイッチをＯＮし、同時にＳＢ０を数回連送して通信を受ける側の同期を確立させた後、ＳＣにより音声通話を行う。即ち、図１０に示されるように同期のための同期バーストＳＢ０を、例えば、ＳＢ０１、ＳＢ０２、ＳＢ０３の３回送出し、続いて通信用チャネルＳＣをＳＣ１、ＳＣ２、・・・の順に順次送出する。なお、ＳＢ０、ＳＣの１区間は、図１０のように、例えば、４０ｍｓである。
【００１３】
上記のように構成されたＳＣＰＣ方式デジタル無線システムの動作について、図１２を用いて説明する。図１２において、指令卓１０６−２が、移動局１０３−Ｎ、１０３−３および１０３−５と通話する場合について説明する。まず、アイドル状態（ステップ１２０１）では、基地局１０１の無線装置１０５は、送信用無線機Ｔｘから常に空線信号を送出しており、通信エリア１０２内に位置する移動局１０３は、同期が取られている状態である。この状態で、例えば、指令卓１０６−２がグループＡに所属する移動局１０３に一斉通信を行う場合について説明する。なお、図１２では、説明を簡単にするために移動局１０３−Ｎ、１０３−３および１０３−５のみを示しているが、他の移動局についても同様である。指令卓１０６−２がグループＡを指定して基地局１０１の制御装置１０４、無線装置１０５を介して移動局１０３に通信の発呼をする（ステップ１２０２）。基地局１０１の制御装置１０４は、指令卓１０６−２のグループＡの指定を受けると、例えば、同期バーストＳＢ０および通信用チャネルＳＣのＲＩＣＨ（図１１に示す。）を用いて、グループＡを表すコード、例えば、００００１を各移動局１０３−Ｎ、１０３−３および１０３−５に送信する（ステップ１２０３）。
【００１４】
グループＡを表すコード００００１を受信した移動局局１０３−Ｎ、１０３−３および１０３−５は、自分の移動局がグループＡかどうかを判定する（ステップ１２０４、１２０５および１２０６）。判定する理由は、先にも説明したように図８で示すＳＣＰＣ方式デジタル無線システムは、通信エリア１０２内では、無線周波数ｆ１、Ｆ１のペア波を用いて通信しているため、基地局１０１からの通信は、全ての移動局１０３で受信できるためである。判定の結果、移動局１０３−Ｎ、１０３−３は、グループＡであると判断し、音声再生の機能をＯＮする。従って、指令卓１０６−２からの音声送信（ステップ１２０７）が基地局１０１から通信用チャネルＳＣの、例えば、ＴＣＨで移動局１０３−Ｎ、１０３−３に送信され（ステップ１２０８）、再生される。また、無線機の表示部に音声受信中（ステップ１２０９、１２１０）が表示される。しかしながら、移動局１０３−５は、グループＢ（グループＡとは異なるグループ）であるので、音声再生はせず、例えば、無線機の表示部にビジーの表示をする（ステップ１２１１）。これによってグループＡの移動局１０３−Ｎ、１０３−３は、指令卓１０６−２からの一斉通報を聞くことができるが、移動局１０３−５は、一斉通報を聞くことができない。なお、上記例示では、ステップ１２０２とステップ１２０７を別々のステップとして説明したが、ステップ１２０２とステップ１２０７を同じステップとすることもできる。即ち、図１１に示す通信用チャネルＳＣのＲＩＣＨでグループを指定し、図１１に示す通信用チャネルＳＣのＴＣＨで音声を同時に送ることもできる。
【００１５】
さて、上述のようなシステムでは、通信するグループ分けは、各移動局から手動で基地局に登録する方法が取られており、グループの編成や所属グループの変更を行うには、例えば、基地局の管理者が各移動局を呼出し、各移動局毎にグループの変更を音声通話などにより指示し、各移動局の担当者が移動局の操作部を操作して手動で変更するしか方法がない。また、同一基地局内の移動局は、同一の無線キャリアを使用しているため、通話中のグループ（選択しているグループ）以外の通信は、ビジー状態となっている。そのため異なるグループに所属している移動局を通話中のグループ（選択しているグループ）に編成しようとする場合、元のグループ毎にグループ変更の指示を行わなければならず、グループ編成の指示を行う指令卓などの上位装置は、それぞれの移動局が現在どのグループを選択しているかの情報を常に保持していなければならない等、グループの編成や変更が煩雑となる。従って、容易にグループ変更等が行える無線通信システムの実現が望まれている。
【００１６】
【特許文献１】特開２００１−１４５１５０号公報
【発明の開示】
【発明が解決しようとする課題】
【００１７】
無線通信システムでのグループ分けは、各移動局から手動で基地局に登録する方法が取られており、また、異なるグループに所属している移動局を通話中のグループに編成しようとする場合、元のグループ毎にグループ変更の指示を行わなければならず、グループの編成や変更が煩雑となる。
【００１８】
本発明の目的は、容易に所属グループを変更できる無線通信システムおよび無線通信システムのグループ変更方法を提供することである。
【００１９】
本発明の他の目的は、所属グループ変更を通知できる無線通信システムおよび無線通信システムのグループ変更方法を提供することである。
【００２０】
本発明の更に他の目的は、基地局の指令で所属グループを変更できる無線通信システムおよび無線通信システムのグループ変更方法を提供することである。
【課題を解決するための手段】
【００２１】
本発明は、基地局とグループ分けされた複数の移動局からなる無線通信システムにおいて、上記基地局は、無線装置と上記無線装置を制御する第１の制御装置を有し、上記グループ分けされた複数の移動局のそれぞれは、送信部と、受信部および上記送信部および上記受信部を制御する第２の制御部を有し、上記基地局の第１の制御装置は、第１の記憶部を有し、上記第１の記憶部には、上記グループ分けされた複数の移動局と通信できるグループコードを記憶したグループコードテーブルを具え、上記グループコードテーブルには、上記グループ分けされた複数の移動局と通信できる共通グループコードと上記グループ分けされたグループと個別に通信できるグループコードを有し、上記複数の移動局の少なくとも１つの移動局のグループを変更する場合、上記第１の制御装置は、上記共通グループコードと上記グループの変更情報を上記グループ分けされた複数の移動局に送信するように構成される。
【００２２】
また、本発明の無線通信システムにおいて、上記グループ分けされた複数の移動局の第２の制御部は、第２の記憶部を有し、上記第２の記憶部に自分のＩＤと自分が所属するグループコードを記憶したテーブルを具え、上記グループ分けされた複数の移動局は、上記共通グループコードと上記グループの変更情報を受信すると共に、上記第２の制御部は、上記共通グループコードと上記グループの変更情報を解読し、上記第２の記憶部に記憶されたグループコードの自分のＩＤと自分が所属するグループコードを比較して所定のグループコードに変更するように構成される。
【００２３】
また、本発明の無線通信システムにおいて、上記第２の記憶部に記憶されたグループコードの自分のＩＤと自分が所属するグループコードを比較して所定のグループコードに変更した移動局は、上記変更後のグループコードを上記基地局に送信するように構成される。
【００２４】
また、本発明の無線通信システムにおいて、上記無線通信システムは、同期バーストと通信用チャネルで構成されるＳＣＰＣ方式のデジタル無線システムであり、上記共通グループコードは、上記同期バーストと上記通信用チャネルの所定の機能チャネルで送信し、上記グループの変更情報は、上記通信用チャネルの所定の機能チャネルとは異なる機能チャネルで送信するように構成される。
【００２５】
また、本発明は、基地局とグループ分けされた複数の移動局からなる無線通信システムにおいて、上記基地局は、上記グループ分けされた複数の移動局に対して上記グループ分けされた複数の移動局と通信できる共通グループコードとグループを変更する移動局の番号および移動後のグループを示すグループコードを送信するステップと、上記グループ分けされた複数の移動局のそれぞれの移動局は、上記共通グループコードを受信するステップと、上記共通グループコードを受信した移動局は、上記グループを変更する移動局の番号を判定するステップと、判定結果に基づき移動局の番号が一致した場合、上記移動後のグループを示すグループコードに基づいて自己のグループコードを変更するステップから構成される。
【００２６】
また、本発明の無線通信システムのグループ変更方法において、上記移動局が自己のグループコードを変更した場合、変更したグループコードを上記基地局に送信するように構成される。
【発明の効果】
【００２７】
以上説明したように、本発明によれば、容易に所属グループを変更できる無線通信システムおよび無線通信システムのグループ変更方法が実現できる。また、所属グループ変更をそれぞれの移動局に通知でき、移動局の操作者が個別にグループの所属を設定することができ、更に、基地局の利用者が操作部からの手動操作により、対象となる移動局を個別に選択して移動局の所属グループを変更することが可能となる等の特徴を有する。
【発明を実施するための最良の形態】
【００２８】
本発明の一実施例を図１〜図７を用いて説明する。なお、本発明の実施例では、標準規格ＡＲＩＢ  ＳＴＤ―Ｔ６１で定めるＳＣＰＣ方式デジタル無線システムの例で説明するが、これに限定されるものではなく、他の無線通信システムにも適応できることは言うまでもない。図１は、本発明の概略構成を説明するシステム図である。図１が図８と異なる点は、移動局１０３−ＮがグループＡからグループＢに移動したことである。なお、図８と同じものには同じ符号が付されている。図１において、グループＡとグループＢに所属する移動局１０３は、表２に示す移動局グループテーブルの通りである。
【００２９】
【表２】
2008160889.tif 000004
表２において、グループＡは、移動局１０３−１、１０３−２、１０３−３、・・・が所属し、グループＢは、移動局１０３−４、１０３−５、１０３−６、・・・１０３−Ｎが所属することを示している。以下、移動局１０３−Ｎをグループ変更する方法について詳しく説明する。
【００３０】
図２は、図１に示す基地局１０１の概略構成のブロック図を示す。基地局１０１は、基地局を管理する制御装置１０４、送信用無線機Ｔｘおよび受信用無線機Ｒｘからなる無線装置１０５および複数の指令卓１０６−１、１０６−２、・・・１０６−ｍで構成されている。なお、指令卓を代表する場合は、指令卓１０６と称する。図２において、制御装置１０４は、処理装置２０１および記憶部２０２で構成されている。処理装置２０１は、基地局１０１を管理し、基地局と移動局および移動局間の通信接続サービスを行う。無線装置１０５は、送信用無線機Ｔｘと受信用無線機Ｒｘで構成されている。また、指令卓１０６は、操作部２０３および表示部２０４で構成されている。なお、図２では、指令卓は、１台のみ示しているが、図１のように必要に応じて複数台設けることもできる。
【００３１】
次に、移動局１０３−１、１０３−２、１０３−３、１０３−４、・・・１０３−Ｎの具体的な一実施例のブロック図を図３に示す。なお、移動局としては、携帯型移動局１０３−１、１０３−５、１０３−Ｎ、・・・である場合、タクシーやトラック車両に搭載された車載搭載型移動局１０３−２、１０３−３、１０３−４、・・・の場合等、種々の移動局１０３があるが、その構成は、ほぼ図３に示すものと同じであるので、図３の移動局で代表して説明する。図３で示す移動局は、例えば、上り方向無線キャリアｆ１、下り方向無線キャリアＦ１のペア波が用いられる無線通信装置を示している。
【００３２】
図３において、３０１は、基地局１０１との送受信を行うためのアンテナ、３０２は、送信受信を切替えるための切換えスイッチ、３０３は、受信部、３０４は、受信信号処理部、３０５は、スピーカ、３０６は、制御部、３０７は、記憶部、３０８は、表示部、３０９は、操作部、３１０は、マイク、３１１は、送信信号処理部、３１２は、送信部である。
【００３３】
まず、各移動局１０３は、それぞれの移動局１０３の操作者が操作部３０９を操作してグループＡあるいはグループＢを選択し、基地局１０１に登録する。これによって基地局１０１の記憶部には、表１に示す移動局グループテーブルのようにグループＡとグループＢに分かれて登録される。即ち、図８に示される状態である。この状態で移動局１０３−ＮをグループＡからグループＢに変更する場合について図７の動作説明図を用いて説明する。図７において、指令卓１０６−２が、移動局１０３−Ｎの所属するグループを変更する場合について説明する。まず、アイドル状態（ステップ７０１）は、基地局１０１の無線装置１０５は、送信用無線機Ｔｘから常に空線信号を送出しており、通信エリア１０２内に位置する移動局１０３は、同期が取られている状態である。この状態で、指令卓１０６−２がグループ変更する移動局を選択する（ステップ７０２）。例えば、図２に示す操作部２０３を操作して記憶部２０２に記憶されている表１に示す基地局グループテーブルを呼出し、表示部２０４に表示する。そして、操作卓１０６の操作者は、グループを変更したい移動局、例えば、移動局１０３−Ｎを選択し、操作部２０３を操作してグループＡからグループＢへの変更要求を制御部１０４に送信する（ステップ７０３）。
【００３４】
移動局１０３−Ｎの変更通知要求を受けた制御装置１０４は、処理装置２０１でグループ切替のための信号を生成し、移動局１０３に送信する（ステップ７０４）。これについて図４〜図６を用いて説明する。先に説明したように基地局１０１では、移動局１０３との通信のために図１０で示されるように同期バーストＳＢ０１、ＳＢ０２、ＳＢ０３と通信用チャネルＳＣ１、ＳＣ２、・・・からなる無線チャネルを用いて行われることを説明した。また、これら同期バーストＳＢ０および通信用チャネルＳＣは、図１１で示される通信フォーマット構成であることを説明した。従って、処理装置２０１は、まず、同期バーストＳＢ０および／または通信用チャネルＳＣのＲＩ（無線情報チャネル、ＲＩＣＨともいう。）にグループコードおよびグループ変更通知の情報を追加して各移動局１０３に送信する（ステップ７０４）。図４は、図１１に示される同期バーストＳＢ０および／または通信用チャネルＳＣのＲＩの内容を示している。図４において、４０１は、未定義領域を、また、４０２は、Ｍ（通信モード識別）領域を示している。この未定義領域４０１には、本実施例では、グループコードを割り付けるようにしている。グループコードとは、例えば、表３に示されるグループコードがそれぞれ挿入される。
【００３５】
【表３】
2008160889.tif 000005
表３において、グループ名の共通グループは、グループコード０００００が割り当てられる。この共通グループとは、基地局１０１に登録されている全ての移動局１０３に受信できるグループコードである。また、グループＡは、グループコード００００１が、グループＢは、グループコード０００１０が割当てられるというように各グループ毎にグループコードが付される。このグループコードテーブルは、例えば、基地局１０１の記憶部２０２に記憶され、操作卓１０６からの指示で、適宜添付され送信される。従って、例えば、グループＡの移動局１０３に一斉通報を送信したい場合は、グループコード００００１を図４に示すＲＩ領域の領域４０１に添付すると、グループＡの移動局１０３−１、１０３−２、１０３−３、・・・１０３−Ｎに一斉通報が送信される。なお、上記実施例では、グループコードテーブルは、基地局１０１の記憶部２０２に記憶されているとして説明したが、この記憶部２０２は、例えば、指令卓１０６に具えることもできる。また、指令卓１０６と制御装置１０４を一体に設けることもでき、システム構成に応じて適宜構成を変更できることはいうまでもない。また、グループコードテーブルは、記憶部２０２の中に形成されている記憶内容を単にグループコードテーブルと表現したにすぎず、グループコード記憶部を意味するものである。
【００３６】
さて、移動局１０３−ＮをグループＡからグループＢに変更する場合、異なるグループへの変更であるため、基地局１０１に登録されている全ての移動局１０３に受信できるように共通グループのグループコード０００００を図４に示すＲＩ領域の領域４０１に添付して送信する。これによって基地局１０１に登録されている全ての移動局１０３がこの通信を受信できる。また、同時にこの通信がグループ変更通知であることを示す電文がデータとして送信される。ここで、例えば、図４のＭ（通信モード識別）領域４０２では、送信される信号がデータか、音声かを識別する信号が送られる。その詳細を図５に示す。図５において、Ｍ領域４０２の未定義領域５０１に、例えば、この場合、データであることを示す０１１（データ伝送）が挿入される。そして、図６に示すＴＣＨのメッセージ識別（グループコード変更）６００に、例えば、「所属グループ変更」のメッセージをデータとして挿入する。
【００３７】
ステップ７０４でグループ変更情報を受信した移動局１０３−Ｎ、１０３−３、１０３−５の各移動局は、それぞれグループ判定を行う（ステップ７０５、７０６、７０７）。このグループ判定は、例えば、移動局１０３の制御部３０６で行われる。即ち、制御部３０６の記憶部３０７には、例えば、表３に示す各グループコードテーブルが記憶されており、受信した信号中のグループコードと比較し、送られてきたグループコードが何であるかを判定する。本実施例では、グループコード０００００が送られているので、共通グループであると認識し、図５に示されるＭ領域４０２のデータ伝送０１１を解読し、そして、図６に示すＴＣＨのメッセージ識別（グループコード変更）６００を読み取り、表示部３０８に「所属グループ変更」のメッセージを表示する（ステップ７０８、７０９、７１０）。なお、グループコード、メッセージの送信は、上述した機能チャネルに限定されるものではなく、種々の変更が可能であることはいうまでもない。また、データ等を送信する場合、通信用チャネルＳＣの１つ、ＳＣ１のみではなく、複数の通信用チャネルＳＣ１、ＳＣ２、・・を用いて複数回送信するほうが受信の確実性が向上することはいうまでもない。
【００３８】
更に、基地局の制御装置１０４の処理装置２０１は、通信用チャネルＳＣ１、ＳＣ２、・・・のＴＣＨで移動局番号、例えば、移動局１０３−Ｎの移動局番号、例えば、１０３−ＮまたはＩＤＮｏ．および変更後のグループコード、例えば、グループＢを示すグループコード０００１０を添付して送信する（ステップ７１１）。具体的に説明すると、図６は、図１１に示す機能チャネルの通信用チャネルＳＣのＴＣＨ（トラヒックチャネル）の内容を示しており、このＴＣＨの未使用領域である領域６０１に、グループ変更する移動局の番号、例えば、移動局１０３−Ｎおよび領域６０２に、変更後のグループコード０００１０を挿入して送信する。
【００３９】
このＴＣＨの情報（ステップ７１１）を受信した移動局１０３（全ての移動局）は、制御部３０６で、受信したＴＣＨを解読し、自分の記憶部３０７に記憶されている自分の移動局番号（またはＩＤ）と比較する。例えば、移動局１０３−Ｎの記憶部３０７に記憶している自己の情報テーブルを表４に示す。
【００４０】
【表４】
2008160889.tif 000006
表４において、移動局１０３−Ｎの移動局Ｎｏ．またはＩＤＮｏ．は、１０３−Ｎであり、所属グループは、グループＢ（グループコード：０００１０）であることを示す。なお、表４は、移動局１０３−Ｎの情報のみを示しているが、全ての移動局１０３は、自己の移動局Ｎｏ．またはＩＤＮｏ．および所属グループ（グループコード）を記憶した自己の情報テーブルを所有している。従って、各移動局１０３は、グループ変更する移動局の番号を受信して個別番号判定を行う（ステップ７１２、７１３、７１４）。判定の結果、移動局１０３−Ｎは、自分の移動局番号１０３−Ｎと一致するので、自分のグループコード（グループＢ）を、例えば、グループＡのグループコード００００１に修正する（ステップ７１５）。この修正した自己の情報テーブルを表５に示す。
【００４１】
【表５】
2008160889.tif 000007
表５において、所属グループがグループＡに変更されている。この修正は、例えば、記憶部３０７に記憶している表４に示す自己の情報テーブルの所属グループのグループＢ（グループコード：０００１０）を表５のように所属グループのグループＡ（グループコード：００００１）に変更することで達成できる。
【００４２】
グループコードを変更した移動局１０３−Ｎは、変更したことを知らせる情報を基地局１０１の制御装置１０４に送信する（ステップ７１６）。基地局１０１の制御装置１０４は、移動局１０３−Ｎからのグループコード変更の情報を受信すると、記憶部２０２に記憶している基地局グループテーブルの内容を書換える。即ち、表１の状態から表２の状態に変更される。従って、基地局１０１の操作者は、表２の基地局グループテーブルを読出し、表示部２０４に表示することで、移動局１０３−Ｎのグループが変更されたことが確認できる（ステップ７１８）。なお、移動局１０３−Ｎがグループコード変更を基地局１０１に送信する必要がない場合は、ステップ７１６、７１７、７１８は、不要である。
【００４３】
上記実施例では、グループ変更要求情報送信（ステップ７０４）と変更移動局指定（ステップ７１１）を別々に送信するように説明したが、同時に送信するようにすることもできる。この場合、例えば、各移動局１０３−Ｎ、１０３−３、１０３−５では、送られてきたＲＩＣＨおよびＴＣＨの内容を解析し、それぞれの記憶部３０７に一旦記憶し、グループ判定（ステップ７０５、７０６、７０７）、メッセージ表示（ステップ７０８、７０９、７１０）、個別番号判定（ステップ７１２、７１３、７１４）およびグループ変更（ステップ７１５）を順次行うようにすることもできる。
【００４４】
また、グループ変更情報、移動局指定および変更後のグループ指定をＴＣＨで送信する場合について説明したが、これらに限定されるものではなく、別の領域（別の機能チャネル）で送ることもできることはいうまでもない。また、本実施例では、グループ変更情報に基づいて移動局が自動で自分のグループを変更する実施例で説明したが、変更を指示する情報を表示部３０８に表示したり、あるいは、スピーカから変更を音声で知らせ、移動局１０３の操作者が操作部３０９を操作してグループ変更をすることもできることはいうまでもない。
【００４５】
以上、本発明について詳細に説明したが、本発明は、ここに記載された無線通信システムおよび無線通信システムのグループ変更方法の実施例に限定されるものではなく、上記以外の無線通信システムおよび無線通信システムのグループ変更方法に広く適応することが出来ることは、言うまでも無い。
【図面の簡単な説明】
【００４６】
【図１】本発明の一実施例を説明するための無線通信システムを示す図である。
【図２】本発明で使用される基地局の概略構成のブロック図を示す。
【図３】本発明で使用される移動局の概略構成のブロック図を示す。
【図４】本発明で使用されるＲＩＣＨの一実施例を示す図である。
【図５】本発明で使用されるＭ領域の一実施例を示す図である。
【図６】本発明で使用されるＴＣＨの一実施例を示す図である。
【図７】本発明の動作を説明するための図である。
【図８】従来の無線通信システムの一例を示す図である。
【図９】無線通信システムで使用される無線キャリア周波数の関係を示す図である。
【図１０】無線通信システムで使用される無線チャネルの構成を説明するための図である。
【図１１】図１０で示す無線チャネルの信号フォーマットを示す図である。
【図１２】従来の無線通信システムの動作を説明するための図である。
【符号の説明】
【００４７】
１０１：基地局、１０２：通信エリア、１０３：移動局、１０４：制御装置、１０５：無線装置、１０６：指令卓、２０１：処理装置、２０２、３０７：記憶部、２０３、３０９：操作部、２０４、３０８：表示部、３０１：アンテナ、３０２：切替スイッチ、３０３：受信部、３０４：受信信号処理部、３０５：スピーカ、３０６：制御部、３１０：マイク、３１１：送信信号処理部、３１２：送信部。
【図１】
2008160889.tif 000008
【図２】
2008160889.tif 000009
【図３】
2008160889.tif 000010
【図４】
2008160889.tif 000011
【図５】
2008160889.tif 000012
【図６】
2008160889.tif 000013
【図７】
2008160889.tif 000014
【図８】
2008160889.tif 000015
【図９】
2008160889.tif 000016
【図１０】
2008160889.tif 000017
【図１１】
2008160889.tif 000018
【図１２】
2008160889.tif 000019